(57)【特許請求の範囲】
【請求項１】
原稿等の画像を読み取り、その画像データを画素毎の電気信号として出力する画像読取手段と、
この画像読取手段からの画像データを記憶する画像記憶手段と、
この画像記憶手段に記憶された画像データの特定の領域を繰返し読み出し、その読み出し毎に画像データの画質を変化させる画像処理手段と、
この画像処理手段からの出力信号を記録用紙に画質合成画像として記録する画像記録手段と、
を備えたデジタル複写機において、
前記画像処理手段は、前記特定の領域の読み出し回数を設定する画像読出回数設定手段と、この画像読出回数設定手段で設定した回数及び出力する画像用紙サイズに基づいて読み出される前記特定の領域の範囲を設定する領域設定手段とを備えていることを特徴とするデジタル複写装置。
【請求項２】
原稿等の画像を読み取り、その画像データを画素毎の電気信号として出力する画像読取手段と、
この画像読取手段からの画像データを記憶する画像記憶手段と、
この画像記憶手段に記憶された画像データの特定の領域を繰返し読み出し、その読み出し毎に画像データの画質を変化させる画像処理手段と、
この画像処理手段からの出力信号を記録用紙に画質合成画像として記録する画像記録手段と、
を備えたデジタル複写機において、
前記画像記録手段は、設定した画質の出力画像毎に異なるページ番号を印字するページ番号印字手段と、このページ番号印字手段によって印字された出力画像のページ番号が指定されたことをもって出力画像の画質を指定する画質設定手段とを備えていることを特徴とするデジタル複写装置。
【請求項３】
原稿等の画像を読み取り、その画像データを画素毎の電気信号として出力する画像読取手段と、
この画像読取手段からの画像データを記憶する画像記憶手段と、
この画像記憶手段に記憶された画像データの特定の領域を繰返し読み出し、その読み出し毎に画像データの画質を変化させる画像処理手段と、
この画像処理手段からの出力信号を記録用紙に画質合成画像として記録する画像記録手段と、
を備えたデジタル複写機において、
前記画像記録手段は、ユーザーの指定に応じて画像出力する記録用紙のサイズを設定する用紙サイズ設定手段を備えていることを特徴とするデジタル複写装置。
【発明の詳細な説明】
【０００１】
【産業上の利用分野】
本発明は、出力画像の画質を複数レベルに調整可能な機能を備えたデジタル複写機に関するものである。
【０００２】
【従来の技術】
図３６は従来のデジタル複写機の構成を示すブロック図である。
図３６に示すように、主制御部１０１には、バス１０２を介してスキャナ１０３、Ａ／Ｄ変換部１０４、画像処理部１０５、記録部１０６の各々が接続され、更に、図３７に示す如き構成を有する操作部２００が接続されている。
【０００３】
操作部２００は、変倍ボタン２０１（「拡大」、「縮小」、「等倍」）、用紙サイズ表示器２０２、用紙選択ボタン２０３、濃度設定ボタン２０４、複写枚数設定ボタン２０５等で各設定を行い、複写を開始させるスタートボタン２０６の各々を備えて構成される。
【０００４】
以上の構成のデジタル複写装置において、スタートボタン２０６を押下すると、この操作を検知した主制御部１０１は動作を開始し、スキャナ１０３を駆動する。スキャナ１０３は原稿等の画像を光学系を介して読み取り、アナログ画像信号をＡ／Ｄ変換部１０４へ送出する。Ａ／Ｄ変換部１０４は、スキャナ１０３からのアナログ信号をデジタル信号に変換（Ａ／Ｄ変換）し、その変換結果を画像処理部１０５へ送出する。画像処理部１０５では、フィルタ処理、濃度調整等の画像処理を行い、処理後の信号を記録部１０６へ送出する。記録部１０６では信号を受けて画像をハードコピーとして出力する。
【０００５】
次に、従来のデジタル複写装置における濃度調整方法について説明する。
デジタル複写機の画質調整機能の一つである濃度調整は、画像処理部１０５で行われる。画像処理部１０５は、図３８に示すガンマテーブルＲＯＭ１０７（濃度の幅の中央部と末端部のコントラストを変える為のガンマ補正を行うためのテーブルを備えたＲＯＭ）を備え、このＲＯＭを用いてデータの変換が行われる。
【０００６】
ガンマテーブルＲＯＭ１０７は、ガンマテーブル選択信号３ビットを上位ビットとして反射率データのスキャナ画像データ８ビットとで構成する１１ビットのアドレスを受け、濃度データを出力する。スキャナ１０３によって読み取られた反射率リニアのデータを濃度リニアに変換する際、ガンマテーブルＲＯＭ１０７のデータが変換される。ガンマテーブルＲＯＭ１０７は、反射率Ｙのデータに対応する０〜２５５の濃度データＤに割り当てる処理を行う。
【０００７】
図３９は反射率Ｙと濃度Ｄの関係を示す特性図である。同図に示すように変換のデータは、特性▲１▼〜特性▲５▼の５通りが有る。この特性は、操作部２００の“こく”、“うすく”の各ボタンの操作によって選択することができる。最も出力画像の薄くなるのが特性▲１▼であり、数字が大きくなるに従って濃くなり、特性▲５▼が最も濃い出力画像になる。
【０００８】
ガンマテーブルＲＯＭ１０７におけるガンマテーブル選択信号は、操作部２００の設定に従って主制御部１０１から出力され、ガンマテーブルＲＯＭ１０７のアドレスの上位を変更することにより、図３９の特性に対応する５段階のテーブルデータの一つが選択される。
【０００９】
このようにして、従来の複写機では出力画素の濃度の調整を行うが、この方法で濃度の調整を行った場合、図４０に示すように、原稿に対して特性▲１▼〜▲５▼に対応した最大５枚の出力画像を取らなければ、好ましい画像出力を得ることはできない。
【００１０】
なお、この種の技術に関する公知技術には、特開平２−５４２８２号公報がある。
【００１１】
【発明が解決しようとする課題】
このように、上記した従来技術にあっては、反射率Ｙと濃度Ｄに関する複数の特性に対応して、特性毎に各１枚の出力画像を取らねばならず、画像出力の回数が多くなって待ち時間が増え、用紙の使用枚数が多くなる為に不経済になる。また、出力枚数が多いために、濃度評価もし易いとは言えなかった。
【００１２】
本発明は、かかる従来技術の実情に鑑みてなされたもので、その目的は、出力画像の画質調整における画質設定作業効率の向上及び記録用紙の節約を図ることのできるデジタル複写装置を提供することにある。
【００１３】
【課題を解決するための手段】
上記の目的を達成するために、この発明は、原稿等の画像を読み取り、その画像データを画素毎の電気信号にする画像読取手段と、この画像読取手段からの画像データを記憶する画像記憶手段と、この画像記憶手段に記憶された画像データの特定の領域を繰返し読み出し、その読み出し毎に画像データの画質を変化させる画像処理手段と、この画像処理手段からの出力信号を記録用紙に画質合成画像として記録する画像記録手段とを設けるようにしている。
この場合、前記画像処理手段は、前記特定の領域の読み出し回数を設定する画像読出回数設定手段と、この画像読出回数設定手段で設定した回数及び出力する画像用紙サイズに基づいて読み出される前記特定の領域の範囲を設定する領域設定手段とを備えているように構成するとよい。
また、前記画像記録手段は、設定した画質の出力画像毎に異なるページ番号を印字するページ番号印字手段と、このページ番号印字手段によって印字された出力画像のページ番号が指定されたことをもって出力画像の画質を指定する画質設定手段とを備えているように構成するとよい。
更に、前記画像記録手段は、ユーザーの指定に応じて画像出力する記録用紙のサイズを設定する用紙サイズ設定手段を備えていることが好ましい。
【００２０】
【作用】
上記した手段によれば、原稿等の画像を読み取って得られた画像データは画像記憶部に記憶され、その画像データの画像１枚分の特定の領域が画質を変えながら繰り返し読み出され、合成して１枚の記録用紙上に出力される。したがって、画像の状態を１枚の記録紙上で確認でき、無駄に用紙を消費することなく、効率よく画質設定を決めることができる。
その際、合成する画像の数を必要に応じてユーザーにより設定することができ、これにより、効率よく画質設定を決めることができる。
また、設定した画質の出力画像毎に異なるページ番号を付け、画像出力後に表示器にメッセージを出力し、これに応じてユーザーによりページ番号を入力し、その入力内容に応じて出力画像の画質を設定することにより、複数枚に渡って出力される画質合成画像を用いて複写機の画質を決定することができ、効率よく画質設定を決めることができる。
更に、画質合成画像における画質各々の画像サイズが小さくて見にくい場合、記録用紙のサイズを大きくすることにより個々の画像を大きくすることができる。このように画質合成画像を出力する用紙を選択できる結果、画質合成画像の原稿からの切出し領域の大きさや切出し領域の出力の繰返し回数の設定にあった用紙を選択でき、画質評価が容易になる。
【００３３】
【実施例】
以下、本発明の実施例について、図面を参照しながら説明する。
【００３４】
〔実施例１〕
図１は本発明によるデジタル複写装置の一実施例を示すブロック図である。また、図２は図１の操作部の詳細を示す平面図である。なお、本実施例においては、図３６及び図３７に示したと同一または同一機能を有するものには同一引用数字を用いたので、以下においては重複する説明を省略する。
【００３５】
図１に示すように、Ａ／Ｄ変換部１０４（画像読取手段）の出力及び画像処理部１０５（画像処理手段）の入力とバス１０２との間に、画像記憶部１０８（画像記憶手段）を設けたところに本発明の特徴がある。
【００３６】
なお、図３６で説明したように、Ａ／Ｄ変換部１０４の前段にはスキャナ１０３（画像読取手段）が接続され、画像処理部１０５には記録部（画像記録手段）が接続され、バス１０２を介して各部には主制御部１０１が接続され、この主制御部１０１には操作部３００が接続されている。また、図２に示すように、本発明に係る操作部３００では、図３７に示した操作部２００に対し、濃度合成を指示するための濃度合成ボタン３０１を濃度設定ボタン２０４に隣接させて設置した構成が採用されている。
【００３７】
なお、以下の説明では、「画質」とは出力画像の濃度の濃さを指し、濃度調整によって異なる濃度の画像を１枚にまとめて出力した画像を「濃度合成画像」と称している。
【００３８】
次に、本実施例の動作について説明する。操作部３００の全体の操作は上記した操作部２００と同一であるが、本発明の「濃度合成画像」を得る為には、スタートボタン２０６を押下する前に濃度合成ボタン３０１を押下する。濃度合成ボタン３０１を押すことによって濃度合成画像出力モードがセットされ、ついでスタートボタン２０６を押すことにより、主制御部１０１はスキャナ１０３を駆動する。スキャナ１０３は原稿等の画像を読み取り、アナログ画像信号をＡ／Ｄ変換部１０４へ送出する。Ａ／Ｄ変換部１０４ではスキャナ１０３からのアナログ信号をデジタル信号に変換する。濃度合成画像出力モードでない場合、画像信号はダイレクトに画像処理部１０５に送られる。しかし、濃度合成出力モードのときには、一旦、画像記憶部１０８に画像データが蓄えられる。
【００３９】
ここで画像記憶部１０８には、図３の（ａ）に示す画像データが蓄えられたとすると、画像中心部において画像全体の５分の１のライン数の画像部分（図３の（ｂ））のアドレスをアクセスし、画像処理部１０５に出力する。画像処理部１０５では、ガンマテーブルＲＯＭ１０７を図３９の特性▲１▼に対応するテーブルに切り替え、信号を濃度データに変換して出力する。
【００４０】
画像記憶部１０８は、出力領域の最後のラインの出力が終わると、前記領域の最初のラインに戻り、再度、同じ領域をアクセスして出力する。画像処理部１０５では、図３８のガンマテーブルＲＯＭ１０７に入力されているガンマテーブル選択信号を変えることにより、特性▲２▼のガンマテーブルに切り替えて出力を行う。このような操作を５回繰り返すことにより、画像記憶部１０６から図４に示すように１枚に５段階の濃度データを記録した濃度合成画像出力を得ることができる。図中の▲１▼〜▲５▼は、図３９のグラフに対応したガンマテーブルがその領域で使われていることを示している。
【００４１】
〔実施例２〕
ところで、前記実施例では、画像記憶部１０８から出力される領域は、画像の特徴が現れやすい中心の領域であるが、画像によっては図５に示す画像のように、中心部分の領域の濃度合成画像出力が画質を決定するために有効でないものもある。もし、濃度合成画像を出したい領域をユーザーによって設定する（領域設定手段）ことができれば、本発明は更に有効であることは明白である。そこで、この領域設定手段を搭載した実施例を以下に説明する。
【００４２】
この場合の操作部４００の詳細構成を示したのが図６である。ここに示される操作部４００は、図２の構成の操作部３００に対して濃度合成ボタン４０１及び液晶ディスプレィ４０２を追加した構成になっている。濃度合成ボタン４０１は濃度設定ボタン２０４の下部に配設され、液晶ディスプレィ４０２は用紙サイズ表示器２０２及び濃度設定ボタン２０４の上部に配設されている。
【００４３】
本実施例においては、濃度合成ボタン４０１を押下することにより、液晶表示部４０２に図７（ａ）に示す様な領域設定を促すメッセージ（「領域を設定してください。」）が表示される。ここで何もしないでスタートボタン２０６のみを押下すると、図５のように、画像の中心部分に領域が設定される。
【００４４】
ユーザーによる領域設定が行えるように、本発明では図８に示すようにスキャナ１０３の上部にエディターボード８００が備え付けられている。エディターボード８００は、図９に示すようにパネル８０１内に電極を縦横に上部電極８０２と下部電極８０３を一定間隔に直交させた格子状の電極配置を有している。その断面図を示したのが図１０であり、最上部にフィルター８０４が配設され、このフィルター８０４の下部に上部電極８０２が配設され、更に、上部電極８０２の下部の所定位置にスペーサー８０５が配設され、このスペーサー８０５の下部には、下部電極８０３が配設されている。このような構成において、エディターボード８００の上面を押下すると、上部電極８０２と下部電極８０３とが接触し、２つの電極間が導通状態になり、電圧が印加されている状態のもとでは、電極間に電流が流れる。
【００４５】
このような構成で、縦方向の電極に順次電圧をかけ、横方向で検知するようにして、パネル上に圧力がかかった位置を検知する。エディターボード８００によって原稿の位置を指定するには、図１１に示すように原稿１１００をエディターボード８００上に置き、備え付けのペン８０６の先端部を押し付ける。この操作により、例えば図１２の矢印で示す横方向（２）番目と縦方向（８）番目の部分（以下、（２，８）と示す。）に圧力を加えるとスペーサーで非接触状態になっていた上部電極８０２と下部電極８０３が接触し、斜線で示す電極間に電流が流れる。縦（８）の電極に電圧をかけた時、（０）〜（９）の印加電圧の状態を監視する。このとき、電極の横（２）に電圧がかかっているので、圧力がかかった位置は、（２，８）であると判断する。
【００４６】
このようにして画像上の位置を決定した後、スタートボタン２０６を押下すると、図１３（ａ）に示すように、位置（＊で示す位置）を中心にして、図１３（ｂ）のように画像全体の５分の１のライン数の領域が濃度合成画像の領域として画像記憶部から読み出され、図１４に示すように、ユーザーで設定した領域に対する濃度合成画像を得ることができる。
【００４７】
ところで、上記の濃度合成画像では、濃度を設定するために画像処理を変えて合成する画像の数は一定であったが、更に細かく濃度を設定したい場合もある。
【００４８】
このように濃度を細かく設定して合成する画像の数をユーザーが設定できれば、本発明の効果は更に向上可能である。
【００４９】
〔実施例３〕
以下に、合成する画像の数をユーザーが設定できるようにした実施例を説明する。
【００５０】
図６に示す操作部４００の濃度合成ボタン４０１を押下すると、図１５（ａ）に示すように、液晶ディスプレイ４０２に合成する画像の数の入力を促すメッセージ（「濃度合成したい画像の数を入力してください。：」）が表示される。そこで、数字キー２０５によって数字を入力すると、図１５（ｂ）のように「：」の後のブランク部分に数字が表示され、合成する画像の数が設定される。出力する紙の大きさは一定であるため、合成する画像の数によって表示できる領域の大きさは異なる。そこで主制御部１０１では、図１６に示すフローチャートに従って、画像記憶部１０８から出力する画像領域を決定する。
【００５１】
まず、前記の手順に従って合成画像の数が入力されると（ステップ１６０１）、画像記憶部１０８に記憶されている画像の全ライン数を入力された数で割り、出力する領域のライン数を決定する（ステップ１６０２）。上記した画像領域設定手段によって、設定された位置と求められたライン数を基に画像記憶部１０８から出力する領域のアドレスを計算する（１６０３）。求められた領域を画像記憶部１０８から繰返し出力し、ガンマテーブルを切り替えることにより、濃度合成画像を得ることができる。更に、画像記憶部１０８からの出力画像に対し、各濃度画像に対する番号付けが行われる。これについて、図１７を参照して以下に説明する。
【００５２】
図１７は図１６の処理を達成するための装置構成図を示すブロック図である（なお、図中、破線は画像データ信号、実線は制御信号を示している）。濃度番号画像発生部１７０１は画像処理部１０５に設けられ、主制御部１０１からの濃度画像数を示す信号を基に各濃度画像の位置に対応するように「１」から数字を１ずつ増やし、等間隔に濃度レベル２５５の数字画像を印字する濃度番号画像１７０２を発生する。この濃度番号画像１７０２は画像合成部１７０３に入力され、濃度合成画像１７０４と合成される。合成の方式は、数字が画像の濃度の濃い部分で見えなくなるのを防止するため、画像合成部１７０３によって画素毎に各ビットのエクスクルージブ・オア（Ｅｘｃｌｕｓｉｖｅ  ＯＲ）を取り、図１８に示すような濃度番号（１〜５）を付した濃度合成画像１７０５を得ることができる。この濃度合成画像の出力後、図６の操作部４００の液晶ディスプレイ４０２には、図１９（ａ）に示すメッセージ（「設定したい濃度画像を選んでください。」）が表示される。次に数字キー２０５により、好ましい濃度の濃度画像の番号を入力することにより、図１９（ｂ）のように、液晶ディスプレイ４０２にその数字が表示され、その番号の濃度画像に対応したガンマテーブルが選択される。そのガンマテーブルを用いて画像記憶部１０８に記憶された画像全体が画像処理部１０５でガンマ変換され、さらに記録部１０６で出力することにより、好ましい濃度のコピーを得ることができる。
【００５３】
〔実施例４〕
ところで前記のように数字で選択する方法よりも直接濃度合成画像の選択したい濃度の画像を指して選択（画質設定手段）できれば、更にユーザーの使い易さは向上する。この濃度画像選択手段を有する実施例を以下に説明する。
【００５４】
本実施例では、濃度合成画像出力後、図６に示す操作部４００の液晶ディスプレイ４０２に図２０（ａ）に示すメッセージ（「出力したい濃度画像を選んでください。」）が表示され、図２１に示すように画像２１００をエディターボード８００のパネル上に置き、備え付けのペン８０６の先端部を押し付ける。この操作により、図１２を用いて説明したように、画像上の位置が認識できることから、ペンの先を押しつけた位置の濃度画像が選択されたことが主制御部１０１で認識される。その結果、図２０（ｂ）に示すメッセージ（「画像選択ＯＫ」）が表示され、画像の選択が完了したことを知ることができる。
【００５５】
ところで濃度画像の数が増えると、１枚の用紙に濃度合成画像を出力したのでは、１つの濃度画像の大きさが小さくなり、濃度の評価に支障を来すことになる。そこで数枚の紙に渡って濃度合成画像を出力することが出来れば、更に本発明の効果は向上する。以下、この実施例を説明する。
【００５６】
〔実施例５〕
本実施例では、最初に、ユーザーがエディターボード８００を用いて濃度画像として出力する画像領域の指定が行われる。濃度合成ボタン３０１を押下すると、図６の操作部４００の液晶ディスプレイ４０２には、図２２（ａ）に示すように、濃度合成画像に出力する画像領域の上端部の指定を促すメッセージ（「出力する画像領域の上端部を指定してください。」）が表示される。そこで、図１１に示したように、エディターボード８００のパネル上に原稿１１００を置き、備え付けのペン８０６の先端部を押し付けることにより、出力する画像領域の上端部を指定できる。次に、図２２（ｂ）のように表示される液晶ディスプレイ４０２のメッセージ（「出力する画像領域の下端部を指定してください。」）に従って、出力する画像領域の下端部を上端部と同様に指定する。
【００５７】
次に、図１５（ａ）のように、液晶ディスプレイ４０２には合成する濃度画像数の入力を促すメッセージが表示される。そこで、数字キー２０５を操作して濃度画像数を入力する。以上の一連の操作によって、主制御部１０１は指定された領域のライン数と濃度画像数によって濃度合成画像の枚数を計算する。
【００５８】
例えば、図２３に示すように、指定された領域が１０００ラインあって、かつ濃度合成画像の出力に用いられる用紙が４７５２ラインであるとき、濃度合成画像数を「６」に設定したとすると、濃度合成画像は６０００ライン必要になり、出力する用紙は２枚である。主制御部１０１で濃度画像の枚数を計算した後、図２４に示すように、操作部４００の液晶ディスプレス４０２に濃度画像の出力枚数が表示される。ユーザーはそのメッセージを確認後、スタートボタン２０６を押下することにより濃度合成画像を得ることができる。
【００５９】
ところで、このように濃度合成画像を数枚に渡って得る場合、前記の濃度番号を付ける方式によれば、番号を入力することで、濃度画像を指定することが出来るが、エディターボード８００上で指定する場合には、エディターボード８００上で指定する前に何枚目の濃度合成画像かを主制御部に知らせる必要がある。
【００６０】
そこで、図２５に示すように、濃度画像毎に画像処理部によってページ番号を付けるようにしてもよい。濃度画像出力後は、図２６に示すように、液晶ディスプレイ４０２のメッセージ内容（「指定したい濃度画像が含まれる画像のページ番号を指定してください。」）に従ってページ番号を入力し、エディターボード８００を用いて濃度画像を指定すれば、濃度画像が選択される。
【００６１】
また、濃度合成画像出力用の用紙を選択できるようにすれば（用紙サイズ設定手段）、更にユーザーの使い勝手は良くなる。例えば、図２３のように、濃度合成画像出力がＡ４サイズで２枚になってしまう場合でも、Ａ３サイズで出力した場合には１枚の用紙で出力することができる。そこで実施例では、ユーザーが濃度画像の領域指定、濃度画像の数等を設定した後、図２７に示すように、液晶ディスプレイ４０２の指示に従って用紙サイズの設定を行う。この設定に基づいて、主制御部１０１は記録部１０６を制御し、図２８に示すように、記録部１０６はＡ３サイズの濃度合成画像を出力する。
【００６２】
ところで、図２９の濃度−反射率特性に示されるように特性値が多数ある場合、これに応じてガンマテーブルの変換テーブルの数も多くなる。このような場合、１度に濃度合成画像として出力するよりも、最初、大まかなガンマテーブルを用いて濃度合成画像を作り、その中のもっとも好ましい濃度画像を選択し、再度その濃度画像のガンマテーブル周辺のガンマテーブルを用いた濃度合成画像を出力するようにすれば、更に細かい濃度設定による濃度合成画像を得ることができる。次に、この濃度画像の選択方法について、図３０を用いて説明する。
【００６３】
図３０は図２９の特性図に対応するガンマテーブルの内容を示している。画像の濃度がもっとも濃くなるガンマが丸付数字１のアドレス領域であり、以下、徐々に薄くなる順序で丸付数字１５までがＲＯＭに格納されている。まず、広い濃度の範囲で異なる濃度画像が得られるように、図３０内の＊印で示す位置のガンマを用いて濃度合成画像を出力する。濃度合成画像を出力後、濃度画像番号や、エディターボード８００上で指定し、濃度画像の１つを選択する。図３０にハッチングで示した丸付数字１１のガンマテーブルの濃度画像が選択されると、操作部４００上の液晶ディスプレイ４０２には、図３１に示すように、更に細かい濃度を指定するか否かのメッセージが表示され、そのまま何もせずにスタートボタン２０６を押せば、丸付数字１１のガンマが設定されたまま、コピーが行われるが、もう１度濃度合成ボタン３０１を押してスタートボタン２０６を押下することにより、丸付数字１１とその周りの丸付数字１０，１２のガンマの濃度画像が合成された濃度合成画像が出力される。この濃度合成画像を用いて、濃度画像の１つを指定することにより、更に細かい濃度設定を選ぶことができる。
【００６４】
これまでデジタル複写機の出力画像の濃度の調整のため、濃度合成画像の実施例を説明してきたが、濃度の設定のようにＲＯＭのデータを切り替えて画質を調整するものの他、平滑化等のフィルタ処理のような画素の演算方法を変えて画質を調整する場合にも同様な方法で画質の設定が可能である。以下にその実施例を説明する。
【００６５】
〔実施例６〕
本実施例においては、フィルタ処理を変えることによって異なる画質の画像を１枚にまとめた画像出力を「フィルタ合成画像」と定義し、その動作を図１のブロック図を参照して説明する。本実施例では、図３２に示す操作部５００が用いられ、その構成は、図６の操作部４００における濃度合成ボタン４０１に代えてフィルタ合成ボタン５０１を設置すると共に濃度設定ボタン２０４に代えて平滑化強弱設定ボタン５０２を設置し、また、操作部４００に設けられていた液晶ディスプレィ４０２は、本実施例には設けられていない。
【００６６】
まず、操作部５００を操作して、拡大、縮小等の各設定が行われるが、本発明のフィルタ合成画像を得るためには、スタートボタン２０６を押下する前にフィルタ合成ボタン５０１を押下する。フィルタ合成ボタン５０１を押下してフィルタ合成画像出力モードにセットしたら、スタートボタン２０６を押下し、主制御部１０１を動作させ、スキャナ１０３を駆動させる。
【００６７】
スキャナ１０３は画像を読み取り、アナログ画像信号をＡ／Ｄ変換部１０４に送る。Ａ／Ｄ変換部１０４では、スキャナ１０３からのアナログ信号をデジタル信号に変換する。フィルタ合成画像出力モードでない場合は直接、画像処理部１０５へ画像信号を送出するが、フィルタ合成出力モードのときは、一旦、画像記憶部１０８に画像データを格納する。ここで画像記憶部１０８に格納された画像データは、画像領域指定手段により指定された領域がアクセスされ、これが画像処理部１０５へ出力される。
【００６８】
画像処理部１０５の内部には、図３３に示す構成の処理系が設けられている（なお、図中、破線は画像データ信号、実線は制御信号を示している）。この処理系は、３ラインＦＩＦＯ３３０１とフィルタ処理部３３０２から構成されており、先ず、画像データは３ラインＦＩＦＯ３３０１に処理ラインの前後３ライン分の画像データが格納され、フィルタ処理部３３０２へ５×３画素毎に入力され、フィルタ処理が行われる。フィルタ処理部３３０２は、図３４に示すように平滑化の強さにより、（ａ）図〜（ｅ）図のような５種類のフィルタ係数を持ち、主制御部１０１からのフィルタ選択信号を受けてフィルタの切り替えを行う。
【００６９】
なお、図３４において、５×３ブロック内の数字は、ハッチング部分が処理画素の位置に対応し、各画素に対応する数字を画素の濃度値に掛け合わせて足した値に、ブロックに掛けられている数字を掛けた値が平滑化処理後の値になる。フィルタ処理部３３０２では、繰り返し読み出される画像記憶部１０８の画像領域毎に主制御部１０１のフィルタ選択信号により、フィルタが切り替えられ、これによる処理が行われる。このような処理を行うことによって、図３５に示すように、５種類のフィルタ係数を切り替えたフィルタ合成画像を得ることができる（なお、図３５における（ａ）〜（ｅ）の各領域は、図３３に対応する記号のフィルタで平滑化されている）。この画像を参照して、平滑化の強さを操作部５００で設定することにより、欲しい画質の画像を適切に得ることができる。
【００７０】
なお、以上の実施例においては、モノクロ画像を対象とし、その濃度調整、フィルタ処理について述べたが、本発明はカラー画像に対しても適用可能であり、画質合成画像を出力すれば、ＲＧＢ、ＹＭＣＫの色調整等に利用できる。
【００７１】
【発明の効果】
本発明は上記の通り構成されているので、
イ）画質合成画像において合成する画像の数を設定でき、効率良く画質設定を決めることができる。
ロ）複数枚に渡って出力される画質合成画像を用いて複写機の画質を決定することができ、効率良く画質設定を決めることができる。
ハ）画質合成画像を出力する用紙を選択できるようになり、画質合成画像の原稿からの切出し領域の大きさや切出し領域の出力の繰返し回数の設定に合致した記録用紙を選択することができる。
などの効果を奏する。
【図面の簡単な説明】
【図１】本発明によるデジタル複写装置の一実施例を示すブロック図である。
【図２】図１の操作部の詳細を示す平面図である。
【図３】本発明における１画質分の出力領域を示す説明図である。
【図４】本発明における画質合成画像の一例を示す画像図である。
【図５】中心部分の領域の濃度合成画像出力を画質決定に用いない方が良い例を示す説明図である。
【図６】本発明における第２実施例の操作部詳細構成を示す平面図である。
【図７】図６の操作部の濃度合成ボタンを操作することによって液晶ディスプレィに表示される表示例を示す説明図である。
【図８】本発明の第２実施例に対応するスキャナのエディターボードの構成を示す斜視図である。
【図９】本発明の第２実施例に係るパネル内の電極配置を示す平面図である。
【図１０】図９のパネル内の電極配置を示す断面図である。
【図１１】図８のエディターボードに原稿をセットする方法を示す説明図である。
【図１２】エディターボード上に原稿の位置を指定した場合の電極間の通電状況を示す説明図である。
【図１３】図１１に示すように原稿を指定し、スタートボタンを押下した後の濃度合成画像の対象領域を示す説明図である。
【図１４】図１３で特定された領域を画質毎に変えて合成出力した状態を示す出力画像図である。
【図１５】本発明の実施例３において合成する濃度画像数の入力を促すメッセージが液晶ディスプレイに表示された状態を示す説明図である。
【図１６】画像記憶部から出力する画像領域を主制御部で決定する処理例を示すフローチャートである。
【図１７】図１６の処理を達成するための装置構成図を示すブロック図である。
【図１８】図１８の構成により得られる濃度番号を付した濃度合成画像を示す説明図である。
【図１９】図１８の濃度合成画像の出力後に伴って図６の操作部の液晶ディスプレイに表示されるメッセージ内容を示す画像図である。
【図２０】図６の操作部の濃度合成ボタンを押下した際に液晶ディスプレイに表示されるメッセージ内容を示す画像図である。
【図２１】図２０のメッセージに対応して出力画像をエディターボードのパネル上に置いた状況を示す説明図である。
【図２２】図２１に対応して図６の操作部の液晶ディスプレイに表示されるメッセージ内容を示す説明図である。
【図２３】図２２のメッセージ内容に応じて指定した際の原稿内容と濃度合成画像の対応を示す説明図である。
【図２４】指定された領域のライン数と濃度画像数によって算出された濃度合成画像の枚数が液晶ディスプレスに表示された様子を示す画像図である。
【図２５】濃度合成画像を数枚に及ぶ場合、濃度画像毎に画像処理部によりページ番号を付す状況を示す説明図である。
【図２６】図２５の処理に伴うページ番号指定のメッセージ内容を示す説明図である。
【図２７】図２６の処理に伴うメッセージ内容を示す説明図である。
【図２８】液晶ディスプレイの指示に従って用紙サイズが設定され、この設定に基づいて記録部から最適サイズのの濃度合成画像を出力するための処理例を示す説明である。
【図２９】特性値が多数ある場合の濃度−反射率特性を示す特性図である。
【図３０】図２９の特性図に対応するガンマテーブルの内容を示す説明である。
【図３１】更に細かい濃度を指定するか否かのメッセージが液晶ディスプレイに表示された様子を示す画像図である。
【図３２】本発明の実施例６で用いられる操作部の詳細を示す平面図である。
【図３３】本発明の実施例６に対応する画像処理部の内部に設置される処理系の構成を示すブロック図である。
【図３４】図３３に示すフィルタ処理部が有する５種類のフィルタ係数の内容を示す説明図である。
【図３５】図３３に示すフィルタ処理部によるフィルタ切り替えに伴って５種類のフィルタ係数が切り替えられることによって合成画像が得られる様子を示す説明図である。
【図３６】従来のデジタル複写機の構成を示すブロック図である。
【図３７】図３６に示す操作部の詳細構成を示す平面図である。
【図３８】図３６の画像処理部に設定されているガンマテーブルＲＯＭの接続構成を示すブロック図である。
【図３９】反射率Ｙと濃度Ｄの関係を示す特性図である。
【図４０】原稿に対し、出力画素の濃度の調整を行った後に得られる複数枚の出力画像の内容を示す画像図である。
【符号の説明】
１０１  主制御部
１０２  バス
１０３  スキャナ
１０４  Ａ／Ｄ変換部
１０５  画像処理部
１０６  記録部
１０７  ガンマテーブルＲＯＭ
１０８  画像記憶部
２００  操作部
２０１  変倍ボタン
２０２  用紙サイズ表示器
２０３  用紙選択ボタン
２０４  濃度設定ボタン
２０５  複写枚数設定ボタン
２０６  スタートボタン
３００  操作部
４００  操作部
４０１  濃度合成ボタン
４０２  液晶ディスプレィ
５００  操作部
５０１  フィルタ合成ボタン
５０２  平滑化強弱設定ボタン
８００  エディターボード
８０１  パネル
８０２  上部電極
８０３  下部電極
８０４  フィルター
８０５  スペーサー
８０６  ペン
１７０１  濃度番号画像発生部
１７０２  濃度番号画像
１７０３  画像合成部
１７０４  濃度合成画像
１７０５  濃度合成画像
２１００  画像
３３０１  ３ラインＦＩＦ
３３０２  フィルタ処理部
【図１】
0003605140.tif 000002
【図２】
0003605140.tif 000003
【図３】
0003605140.tif 000004
【図４】
0003605140.tif 000005
【図５】
0003605140.tif 000006
【図６】
0003605140.tif 000007
【図７】
0003605140.tif 000008
【図８】
0003605140.tif 000009
【図９】
0003605140.tif 000010
【図１０】
0003605140.tif 000011
【図１１】
0003605140.tif 000012
【図１２】
0003605140.tif 000013
【図１３】
0003605140.tif 000014
【図１４】
0003605140.tif 000015
【図１５】
0003605140.tif 000016
【図１６】
0003605140.tif 000017
【図１７】
0003605140.tif 000018
【図１８】
0003605140.tif 000019
【図１９】
0003605140.tif 000020
【図２０】
0003605140.tif 000021
【図２１】
0003605140.tif 000022
【図２２】
0003605140.tif 000023
【図２３】
0003605140.tif 000024
【図２４】
0003605140.tif 000025
【図２５】
0003605140.tif 000026
【図２６】
0003605140.tif 000027
【図２７】
0003605140.tif 000028
【図２８】
0003605140.tif 000029
【図２９】
0003605140.tif 000030
【図３０】
0003605140.tif 000031
【図３１】
0003605140.tif 000032
【図３２】
0003605140.tif 000033
【図３３】
0003605140.tif 000034
【図３４】
0003605140.tif 000035
【図３５】
0003605140.tif 000036
【図３６】
0003605140.tif 000037
【図３７】
0003605140.tif 000038
【図３８】
0003605140.tif 000039
【図３９】
0003605140.tif 000040
【図４０】
0003605140.tif 000041